Podtech/llm-jp-corpus-v4-ja_patent huggingface dataset:
【手続補正書】
【提出日】平成24年2月7日(2012.2.7)
【手続補正１】
【補正対象書類名】特許請求の範囲
【補正対象項目名】全文
【補正方法】変更
【補正の内容】
【特許請求の範囲】
【請求項１】
移動シャシと、
該移動シャシに取り付けられ、摘み取られた物体を輸送する気送管輸送手段と、
前記気送管輸送手段から物体を受け取る物体減速器手段と、
前記物体減速器手段からの物体を所定の進行経路に沿って輸送する第１のコンベヤ手段と
を組み合わせて備える移動摘み取りシステム。
【請求項２】
前記第１のコンベヤ手段によって輸送される物体の表面を走査する走査手段をさらに含む、請求項１に記載の移動摘み取りシステム。
【請求項３】
各物体の実質的に全ての表面を走査する手段をさらに含む、請求項２に記載の移動摘み取りシステム。
【請求項４】
選択された物体を前記所定の進行経路から転向させる転向手段をさらに含む、請求項１に記載の移動摘み取りシステム。
【請求項５】
転向された物体を受け取るホッパをさらに含む、請求項４に記載の移動摘み取りシステム。
【請求項６】
前記第１のコンベヤ手段から物体を受け取り、該受け取った物体を所定の送達点へ輸送する第２のダウンローダコンベヤをさらに備える、請求項１に記載の移動摘み取りシステム。
【請求項７】
複数のダウンローダコンベヤを含む、請求項６に記載の移動摘み取りシステム。
【請求項８】
前記ホッパは、該ホッパから収納ビンへ物体を送る機構を含む、請求項５に記載の移動摘み取りシステム。
【請求項９】
ビンに係合して該ビンを前記移動シャシに対して再位置決めするビン取り扱い手段を含む、請求項１に記載の移動摘み取りシステム。
【請求項１０】
前記ビン取り扱い手段は、ホッパに対して所定の場所に前記ビンを位置決めする手段を含む、請求項９に記載の移動摘み取りシステム。
【請求項１１】
前記ビン取り扱い手段は、少なくとも１つのダウンローダコンベヤに対して所定の場所に前記ビンを位置決めする手段を含む、請求項９に記載の移動摘み取りシステム。
【請求項１２】
前記移動シャシは、シャシサイドレール間かつシャシプラットフォームの下方に物体収納ビンを収容するようなサイズ及び形状である、請求項１に記載の移動摘み取りシステム。
【請求項１３】
前記移動シャシは、物体の摘み取り、輸送、減速、搬送、走査、及び送達を補助する１つ又は複数のサブシステムを少なくとも一時的に取り付けるようになっている、請求項１に記載の移動摘み取りシステム。
【請求項１４】
移動シャシと、
ビンに係合して該ビンを前記移動シャシに対して再位置決めするビン取り扱い手段と
を組み合わせて備える、請求項１に記載の移動摘み取りシステム。
【請求項１５】
前記移動シャシは高架プラットフォームを含み、前記ビン取り扱い手段は、前記シャシプラットフォームの少なくとも部分的に下に前記ビンを位置決めして保持する手段を含む、請求項１４に記載の移動摘み取りシステム。
【請求項１６】
互いに水平方向に離隔している複数の鉛直向きのサイドレールと、
下にある地面から離隔した位置で前記サイドレールに取り付けられたプラットフォームと
を備える、請求項１に記載の移動摘み取りシステム。
【請求項１７】
前記サイドレールは、互いに水平方向に離隔しており、前記プラットフォームは、該プラットフォームが所定の寸法のビンを跨ぐことを可能にするほど十分にその下の機構又は地面から離隔している、請求項１２に記載の移動摘み取りシステム。
【請求項１８】
ビンに係合して前記プラットフォームに対する前記ビンの位置を調整する手段をさらに含む、請求項１７に記載の移動摘み取りシステム。
【請求項１９】
前記ビンに係合して前記サイドレール間かつ前記プラットフォームの下方の所定の位置に前記ビンを位置付ける手段をさらに含む、請求項１７に記載の移動摘み取りシステム。
【請求項２０】
前記ビンを係合から解放して該ビンをその下の地面に載せることを可能にする手段をさらに含む、請求項１７に記載の移動摘み取りシステム。
【請求項２１】
移動車両のビン取り扱いシステムであって、
ビンの係合・取り上げ手段と、
車両側部及び車両プラットフォームによって画定された前記移動車両内の空間を通してビンを移動させるビン輸送手段と、
ビンの係脱・荷降ろし手段と
を組み合わせて備える移動車両のビン取り扱いシステム。
【請求項２２】
前記ビンの係合・取り上げ手段は、
前記移動車両上に配置されて前記ビンに係合して該ビンを支持するフォーク要素と、
該フォーク要素上に少なくとも部分的に配置されて前記ビンに係合して該ビンを輸送するチェーンコンベヤ手段と
を備える、請求項２１に記載のビン取り扱いシステム。
【請求項２３】
前記ビンを前記ビン輸送手段から、前記ビン内に投入すべき物体を受け取る所定の位置まで移動させる第１のビンホイスト手段をさらに含む、請求項２１に記載のビン取り扱いシステム。
【請求項２４】
所定の鉛直方向範囲のダウンローダコンベヤによって、前記ビンを前記ビン輸送手段から、前記ビン内に丁寧に投入すべき物体を受け取る所定の位置まで上方に移動させる第２のビンホイスト手段をさらに含む、請求項２１に記載のビン取り扱いシステム。
【手続補正２】
【補正対象書類名】図面
【補正対象項目名】全図
【補正方法】追加
【補正の内容】
【図１】
2011511648.tif 000001
【図２】
2011511648.tif 000002
【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
乾燥成分、液体、一価陽イオン炭酸塩または重炭酸塩源、および発酵酸の組合せを含む肉代用品であって、タンパク質含有量を有する前記乾燥成分が、乾燥した硫黄タンパク質源を含み、前記液体が水を含み、前記一価陽イオン炭酸塩または重炭酸塩源および前記発酵酸が、約１：２〜１：４の質量比で存在し、前記肉代用品が、その全体に亘り複数の線条の分離可能に並べられた繊維を含むことを特徴とする肉代用品。
【請求項２】
還元剤をさらに含むことを特徴とする請求項１記載の肉代用品。
【請求項３】
前記乾燥成分が、該乾燥成分の総質量に基づいて、０．４〜４．８質量％の前記一価陽イオン炭酸塩または重炭酸塩源を含むことを特徴とする請求項１記載の肉代用品。
【請求項４】
前記乾燥硫黄タンパク質源が、グルテン、大豆タンパク、エンドウ豆タンパク、卵タンパク、またはそれらの混合物を含むことを特徴とする請求項１記載の肉代用品。
【請求項５】
前記乾燥成分が、穀物、果物、野菜、またはそれらの混合物に由来の乾燥タンパク質または繊維源もしくは乾燥肉硫黄タンパク質源を含むことを特徴とする請求項１記載の肉代用品。
【請求項６】
前記液体が、新鮮なまたは冷凍肉源、脂肪精製肉源、またはそれらの混合物をさらに含むことを特徴とする請求項１記載の肉代用品。
【請求項７】
前記液体、前記乾燥成分、またはそれらの両方が、１種類以上の湿潤剤、脂肪源、着色料、調味料、香味料、ビタミン類、ミネラル類、酸化防止剤、乾燥血液血漿、塩、デキストロース、ソルビトール、デンプン、大豆タンパク、ゼラチン、硝酸塩、リン酸塩、または繊維源をさらに含むことを特徴とする請求項１記載の肉代用品。
【請求項８】
前記乾燥成分の前記タンパク質含有量の約３０〜８０質量％が前記乾燥硫黄タンパク質源からのものであることを特徴とする請求項１記載の肉代用品。
【請求項９】
前記乾燥成分が乾燥炭水化物源をさらに含み、該乾燥炭化水素源が、トウモロコシ粉、挽き割りトウモロコシ、エンドウ豆繊維、デンプン、またはそれらの混合物を含むことを特徴とする請求項１記載の肉代用品。
【請求項１０】
約２５〜６０質量％の全タンパク質を含むことを特徴とする請求項１記載の肉代用品。
【請求項１１】
約６．０〜７．８のｐＨを有することを特徴とする請求項１記載の肉代用品。
【請求項１２】
０．２〜２０質量％の脂肪含有量を有することを特徴とする請求項１記載の肉代用品。
【請求項１３】
約２５〜６５質量％の水分を含むことを特徴とする請求項１記載の肉代用品。
【請求項１４】
肉代用品を製造する方法であって、
ａ）  一価陽イオン重炭酸塩または炭酸塩源、水、および硫黄タンパク質源を含む乾燥成分を、低剪断混合条件下で組み合わせて生地を形成し；
ｂ）  前記生地を約１００〜１５０℃の温度に加熱して、加熱生地を生成し；
ｃ）  前記加熱生地を冷却装置の入口オリフィスに供給し；
ｄ）  前記加熱生地を５０〜９００ｐｓｉ（約０．３４〜６．２ＭＰａ）の圧力下で前記冷却装置に通して該冷却装置の出口オリフィスに搬送して、肉代用品を生成する、
各工程を有してなり、
前記肉代用品が前記出口オリフィスで１００℃以下の加工温度を有していることを特徴とする方法。
【請求項１５】
前記生地が還元剤をさらに含むことを特徴とする請求項１４記載の方法。
【請求項１６】
前記肉代用品が複数の線条の分離可能に並べられた繊維を含むことを特徴とする請求項１４記載の方法。
【請求項１７】
前記加熱生地が加圧・加熱加工装置内で形成され、加熱されることを特徴とする請求項１４記載の方法。
【請求項１８】
前記加圧・加熱加工装置が、ピストンポンプ、二軸スクリュー押出機、一軸スクリュー押出機、押出ミル、または混練押出機であることを特徴とする請求項１７記載の方法。
【請求項１９】
前記加圧・加熱加工装置が一軸スクリュー押出機であり、前記生地が、前記液体および前記乾燥成分を前記加圧・加熱加工装置に供給することによって、該加圧・加熱加工装置内で形成されることを特徴とする請求項１８記載の方法。
【請求項２０】
請求項１４記載の方法により製造された肉代用品。
【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
標的遺伝子の発現を阻害するための、１２〜４９ヌクレオチドの長さの二本鎖ＲＮＡ（ｄｓＲＮＡ）コンストラクトであって、該ｄｓＲＮＡが、
（１）５’−末端および３’−末端を有するセンス鎖、ここで該センス鎖の前記５’−および３’−末端のそれぞれにおける１または２以上のヌクレオチドが、２’−修飾リボース糖を有する、および
（２）前記センス鎖および前記標的遺伝子のｍＲＮＡとハイブリダイズする、５’−末端および３’−末端を有するアンチセンス鎖、ここで該アンチセンス鎖が、該アンチセンス鎖の５’−末端から２番目のヌクレオチドにおいて、２’−修飾リボース糖を含む、
を含み、ここで、（ａ）前記ｄｓＲＮＡがダイサーによる切断に抵抗性であり、（ｂ）前記アンチセンス鎖がＲＩＳＣと会合し、および（ｃ）ｄｓＲＮＡが、配列依存的な様式で標的遺伝子の発現を阻害する、前記二本鎖ＲＮＡコンストラクト。
【手続補正書】
【提出日】平成24年1月30日(2012.1.30)
【手続補正１】
【補正対象書類名】特許請求の範囲
【補正対象項目名】全文
【補正方法】変更
【補正の内容】
【特許請求の範囲】
【請求項１】
ガン幹細胞（ＣＳＣ）に対する有効性について候補の化学療法剤をスクリーニングする方法であって：
該候補の化学療法剤をインビトロで、または非ヒト動物においてインビボで、該ＣＳＣと接触させる工程、および
miR-214；miR-127；miR-142-3p；miR-199a；miR-199a*；miR-409-3p；miR-125b；miR-146b；miR-199b；miR-222；miR-299-5p；miR-132；miR-221；miR-31；miR-432；miR-495；miR-150；miR-155；miR-338；miR-34b；miR-212；miR-146a；miR-126*；miR-223；miR-130b；miR-196b；miR-521；miR-429；miR-193b；miR-183；miR-96；miR-200a*；miR-200c；miR-141；miR-182；miR-200a；およびmiR-200b
から選択される少なくとも１つのｍｉＲＮＡの細胞内レベルを変化させることにおける該候補の化学療法剤の有効性を決定する工程
を含む、方法。
【請求項２】
前記マイクロＲＮＡが、ｍｉＲ−２００ｃ、ｍｉＲ−１４１、ｍｉＲ−２００ｂ、ｍｉＲ−２００ａ、ｍｉＲ−４２９、ｍｉＲ−１８２、ｍｉＲ−９６、およびｍｉＲ−１８３から選択され、細胞内レベルを変化させることが、活性をアップレギュレートさせることまたはダウンレギュレートさせることを含む、請求項１に記載の方法。
【請求項３】
前記候補の化学療法剤が、ｍｉＲ−２００ｃ、ｍｉＲ−１４１、ｍｉＲ−２００ｂ、ｍｉＲ−２００ａ、ｍｉＲ−４２９、ｍｉＲ−１８２、ｍｉＲ−９６、およびｍｉＲ−１８３から選択され、前記細胞中で活性なプロモーターに対して作動可能であるように連結されたｍｉＲＮＡ遺伝子配列を含む、請求項２に記載の方法。
【請求項４】
前記変化させることがインビトロで行われる、請求項３に記載の方法。
【請求項５】
前記変化させることがインビボで行われる、請求項３に記載の方法。
【請求項６】
前記ガン幹細胞が乳ガン幹細胞である、請求項３に記載の方法。
【請求項７】
前記乳ガン幹細胞がＣＤ４４＋ＣＤ２４−／ｌｏｗｌｉｎｅａｇｅ−である、請求項６に記載の方法。
【請求項８】
前記変化させることが、前記細胞中での前記ｍｉＲＮＡのレベルを低下させる薬剤を該細胞に投与することを含む、請求項１に記載の方法。
【請求項９】
前記薬剤がアンチセンスオリゴヌクレオチドである、請求項８に記載の方法。
【手続補正２】
【補正対象書類名】明細書
【補正対象項目名】００１８
【補正方法】変更
【補正の内容】
【００１８】
本発明の別の実施形態では、ｍｉＲＮＡまたはそれらの標的が、例えば、そのようなｍｉＲＮＡの発現を増大させるか、またはガン幹細胞中でのそれらのタンパク質標的の発現を低下させる化合物をスクリーニングする方法において、使用され得る。これには、化合物を、ｍｉＲＮＡの発現が低い細胞集団での発現と組み合わせる工程、その後、その化合物によって生じた何らかの調節効果を決定する工程が含まれる。これには、特定のタンパク質標的の活性または検出、生存性、毒性、代謝の変化、あるいは細胞機能に対する影響についての細胞の試験が含まれ得る。本明細書中で開示されるｍｉＲＮＡの機能と関係があるガン幹細胞を標的化する治療薬の投与のための方法もまた提供される。
本発明の好ましい実施形態では、例えば以下が提供される：
（項目１）
ガン幹細胞を同定するための方法であって：
試料を、
【数２】
2011511634.tif 000001
から選択される少なくとも１つのｍｉＲＮＡに特異的な試薬と接触させる工程
を含み、
ここでは、ガン幹細胞は、非腫瘍形成性の細胞と比較して、変化したレベルの該少なくとも１つのｍｉＲＮＡを発現する、方法。
（項目２）
ｍｉＲＮＡの発現の定量が、インサイチュハイブリダイゼーションによって行われる、項目１に記載の方法。
（項目３）
定量が、リアルタイムポリメラーゼ連鎖反応によって行われる、項目１に記載の方法。
（項目４）
前記患者がヒトである、項目１に記載の方法。
（項目５）
前記ヒトがガンの処置を受けている、項目４に記載の方法。
（項目６）
試料を、前記ｍｉＲＮＡによって調節されるタンパク質に特異的な試薬と接触させる工程をさらに含み、
ここでは、ガン幹細胞は、非腫瘍形成性の細胞と比較して、変化したレベルの該タンパク質を発現する、項目１に記載の方法。
（項目７）
ＣＳＣに対する有効性について候補の化学療法剤をスクリーニングする方法であって：
該候補の化学療法剤を該ＣＳＣと接触させる工程、および
【数３】
2011511634.tif 000002
から選択される少なくとも１つのｍｉＲＮＡの細胞内レベルを変化させることにおける該候補の化学療法剤の有効性を決定する工程
を含む、方法。
（項目８）
ガン幹細胞中で腫瘍形成性を変化させる方法であって：
該細胞中で発現される、
【数４】
2011511634.tif 000003
から選択されるマイクロＲＮＡの活性を変化させる工程
を含む、方法。
（項目９）
前記マイクロＲＮＡが、ｍｉＲ−２００ｃ、ｍｉＲ−１４１、ｍｉＲ−２００ｂ、ｍｉＲ−２００ａ、ｍｉＲ−４２９、ｍｉＲ−１８２、ｍｉＲ−９６、およびｍｉＲ−１８３から選択され、該方法が、活性をアップレギュレートさせる工程を含む、項目８に記載の方法。
（項目１０）
前記薬剤が、ｍｉＲ−２００ｃ、ｍｉＲ−１４１、ｍｉＲ−２００ｂ、ｍｉＲ−２００ａ、ｍｉＲ−４２９、ｍｉＲ−１８２、ｍｉＲ−９６、およびｍｉＲ−１８３から選択され、前記細胞中で活性なプロモーターに対して作動可能であるように連結されたｍｉＲＮＡ遺伝子配列を含む、項目９に記載の方法。
（項目１１）
前記変化させる工程がインビトロで行われる、項目１０に記載の方法。
（項目１２）
前記変化させる工程がインビボで行われる、項目１０に記載の方法。
（項目１３）
前記ガン幹細胞が乳ガン幹細胞である、項目１０に記載の方法。
（項目１４）
前記乳ガン幹細胞がＣＤ４４＋ＣＤ２４−／ｌｏｗｌｉｎｅａｇｅ−である、項目１３に記載の方法。
（項目１５）
前記変化させる工程が、前記細胞中での前記ｍｉＲＮＡのレベルを低下させる薬剤を該細胞に投与することを含む、項目８に記載の方法。
（項目１６）
前記薬剤がアンチセンスオリゴヌクレオチドである、項目１５に記載の方法。
【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
ノックアウト変異を有するDNA Qpct遺伝子を含む細胞を含む非ヒト動物であって、
該Qpct遺伝子がマウス起源であり、かつ、
該Qpct遺伝子が配列番号22の配列を有する、前記非ヒト動物。
【請求項２】
前記動物がラットである、請求項１記載の非ヒト動物。
【請求項３】
前記動物がマウスである、請求項１記載の非ヒト動物。
【請求項４】
前記動物が前記Qpct遺伝子についてヘテロ接合性又はホモ接合性である、請求項１〜３のいずれか1項に記載の非ヒト動物。
【請求項５】
前記Qpct遺伝子が組換え遺伝子である、請求項１〜４のいずれか1項に記載の非ヒト動物。
【請求項６】
前記Qpct遺伝子が構成的又は条件的ノックアウト変異を有している、請求項１〜５のいずれか1項に記載の非ヒト動物。
【請求項７】
Qpct関連の障害及び／又は疾患に及ぼす標的化合物の効果を決定における使用のための、請求項１〜６のいずれか1項に記載の非ヒト動物。
【請求項８】
エクソン4及び5が欠失している少なくとも1つのQpct対立遺伝子を有している、請求項１〜７のいずれか1項に記載の非ヒト動物。
【請求項９】
前記Qpct対立遺伝子が配列番号23の配列を有する、請求項１〜８のいずれか1項に記載の非ヒト動物。
【請求項１０】
前記動物がマウス系Pbd2のマウスである、請求項８又は９記載の非ヒト動物。
【請求項１１】
前記Qpct遺伝子が組織特異的プロモーターに機能し得るように連結されている、請求項８〜１０のいずれか1項に記載の非ヒト動物。
【請求項１２】
インビボでQpct産生を阻害し又は促進する生物活性のある薬剤についてのスクリーニング方法であって、
（ａ）請求項１〜１１のいずれか1項に記載の非ヒト動物モデル、又は請求項３〜１１のいずれか1項に記載のマウスに検査薬を投与すること、
（ｂ）該非ヒト動物モデル又は該マウスの表現型に及ぼす該検査薬の効果を評価すること、及び
（ｃ）Qpct活性を阻害し又は促進する検査薬を選択することを含む、前記方法。
【請求項１３】
請求項１〜１１のいずれか1項に記載の非ヒト動物に由来する細胞又は細胞株。
【請求項１４】
ピログルタミン酸-ペプチド形成に関して、Qpct触媒作用について疾患と関連した生理学的機能を分析する方法であって、
（ａ）請求項３〜１１のいずれか1項に記載のマウスに検査薬を投与すること、
（ｂ）該ピログルタミン酸-ペプチド濃度、及び該マウスの表現型に及ぼす該検査薬の効果を評価すること、並びに
（ｃ）ピログルタミン酸-ペプチド活性を阻害し又は促進する検査薬を選択することを含む、前記方法。
【請求項１５】
Qpctによって負の影響を及ぼされるであろう化合物の製造において使用するための、配列番号22又は23記載のQpct遺伝子のノックアウトを含む、改変された細胞。
【請求項１６】
特定の組織のみ及び／又は特別な時点のみにおけるQpct発現を有するモデルの準備のための、請求項１〜１１のいずれか1項に記載の非ヒト動物の又は請求項１３若しくは１５記載の細胞の使用。
【請求項１７】
インビボでQpct活性を阻害し又は促進する生物活性のある化合物についてのスクリーニング方法であって、
i）軽度認知障害、アルツハイマー病、ダウン症候群における神経変性、家族性デンマーク型認知症、家族性英国型認知症、関節リウマチ、粥状硬化、再狭窄、及び膵炎から選択された少なくとも1つの疾患の治療に特異的な非ヒト動物モデルに検査化合物を投与する工程、
ii）該非ヒト動物モデルにおける該検査化合物の効果を決定する工程、
iii）該非ヒト動物モデルにおける該検査化合物の効果を、請求項１〜１１のいずれか一項記載のQpctノックアウト動物におけるQpct遺伝子破壊の効果と比較する工程、及び
iv）請求項１〜１１のいずれか一項記載のQpctノックアウト動物におけるQpct遺伝子破壊の効果と同様に、該非ヒト動物モデルにおいて特定の疾患を軽減する検査化合物を選択する工程を含む、前記方法。
【請求項１８】
前記動物モデルが、PDAPP、Tg2576、APP23、TgCRND8、PSEN1M146V又はPSEN1M146L、PSAPP、APPDutch、BRI-Aβ40及びBRI-Aβ42、JNPL3、TauP301S、TauV337M、TauR406W、rTg4510、Htau、TAPP及び3×TgADからなる群から選択される、請求項１７記載のスクリーニング方法。
【請求項１９】
前記検査化合物の効果が、［pGlu3］Aβ3-40／42／43ペプチド又は［pGlu11］Aβ11-40／42／43ペプチドを低下させることである、請求項１７又は１８記載のスクリーニング方法。
【請求項２０】
前記動物モデルが、アポリポタンパク質Eノックアウトマウスモデル、マウスにおけるチオグリコール酸誘発性炎症モデル、ラットにおけるコラーゲン誘発性関節炎モデル及び再狭窄のラットモデルからなる群から選択される、請求項１７記載のスクリーニング方法。
【請求項２１】
前記検査化合物の効果が、THP-1細胞の走化性の阻害、又はpGlu-MCP-1の形成の阻害である、請求項１７又は２０記載のスクリーニング方法。
【請求項２２】
請求項１２及び１７〜２１のいずれか1項に記載の選択された検査薬を含む、医薬組成物。
【請求項２３】
Qpct関連疾患の治療及び／又は予防のための医薬の製造のための、請求項１２及び１７〜２１のいずれか1項に従って選択された検査薬の使用。
【請求項２４】
前記Qpct関連疾患が、軽度認知障害、アルツハイマー病、ダウン症候群における神経変性、家族性デンマーク型認知症、家族性英国型認知症、関節リウマチ、粥状硬化、再狭窄、及び膵炎からなる群から選択される、請求項２３記載の使用。
【手続補正書】
【提出日】平成23年12月19日(2011.12.19)
【手続補正１】
【補正対象書類名】特許請求の範囲
【補正対象項目名】全文
【補正方法】変更
【補正の内容】
【特許請求の範囲】
【請求項１】
配列番号11、12または15で示されるアミノ酸配列からなる、腫瘍悪性度のための新規マーカー。
【請求項２】
腫瘍が黒色腫である、請求項1に記載のマーカー。
【請求項３】
マウス、ウサギ、ヤギまたはロバを、配列番号11、配列番号12および配列番号15からなる群から選択されるアミノ酸配列を有するペプチド断片で免疫することにより作製される単離抗体であって、配列番号1のアミノ酸18-282、221-235および303-352からなる群から選択されるペプチド断片に結合することにより、ヒトTUCAP-1タンパク質を認識することができる、抗体。
【請求項４】
抗体がモノクローナル抗体であり、IgGアイソタイプIgG2AまたはIgGアイソタイプIgG1に属する、請求項3に記載の抗体またはその断片。
【請求項５】
ヒトTUCAP-1タンパク質に対するモノクローナル抗体であって、腫瘍成長妨害活性または転移妨害活性を有し、マウスを配列番号11、配列番号12および配列番号15からなる群から選択されるペプチド断片で免疫することにより作製され、配列番号1のアミノ酸18-282、221-235または303-352の間に位置する立体もしくは直線エピトープに結合することにより、ヒトTUCAP-1タンパク質を認識する、抗体。
【請求項６】
配列番号11、配列番号12および配列番号15からなる群から選択されるアミノ酸配列を有するペプチド断片で免疫した選択されたマウスの脾臓細胞を用いて、ヒトTUCAP-1の立体もしくは直線エピトープに結合することができるモノクローナル抗体、またはそのようなモノクローナル抗体の断片もしくはヒト化形態または該断片の一本鎖形態を産生することにより得られる選択されたハイブリドーマであって、該エピトープが配列番号1のアミノ酸18-282、221-235または303-352の間に位置する、ハイブリドーマ。
【請求項７】
インビトロで悪性腫瘍を検出するためのキットであって、配列番号1のアミノ酸18-282、221-235および303-352からなる群から選択されるペプチド断片に結合することによりヒトTUCAP-1タンパク質を認識することができる抗体；ならびに配列番号1、11、配列番号12および配列番号15からなる群から選択されるアミノ酸配列を有するペプチド断片を含む力価(titred)ポジティブコントロールを含んでなり、該抗体が腫瘍を患う患者の組織および体液から配列番号1に示す癌タンパク質を検出するために使用される、キット。
【請求項８】
腫瘍が黒色腫である、請求項7に記載のキット。
【請求項９】
腫瘍細胞において配列番号1の発現の存在または非存在を決定する工程を含む、インビトロで悪性腫瘍を診断する方法。
【請求項１０】
腫瘍が黒色腫である、請求項9に記載の方法。
【請求項１１】
配列番号1の発現の存在または非存在が、配列番号1のアミノ酸18-282、221-235および303-352からなる群から選択されるペプチド断片に結合することによりヒトTUCAP-1タンパク質を認識することができる抗体によるTUCAP-1タンパク質の認識を含む、請求項9に記載の方法。
【請求項１２】
腫瘍細胞において配列番号1の発現の存在または非存在を決定する工程を含む、腫瘍の悪性度の進行を追跡する方法。
【請求項１３】
腫瘍が黒色腫である、請求項12に記載の方法。
【請求項１４】
配列番号1の発現の存在または非存在が、配列番号1のアミノ酸18-282、221-235および303-352からなる群から選択されるペプチド断片に結合することによりヒトTUCAP-1タンパク質を認識することができる抗体によるTUCAP-1タンパク質の認識を含む、請求項12に記載の方法。
【請求項１５】
配列番号1の発現を阻害する工程を含む、腫瘍細胞の食作用特性を阻害する方法。
【請求項１６】
該発現がTucap-1遺伝子の発現を抑制することにより阻害される、請求項15に記載の方法。
【請求項１７】
腫瘍細胞に配列番号2もしくはその部分と実質的に相補的な、またはTUCAP-1 mRNAもしくはTUCAP-1特異的制御因子と相補的な単離核酸配列を含む発現ベクターを導入する、請求項15に記載の方法。
【請求項１８】
治療上有効量の化学治療剤と結合したTUCAP結合剤を含む、癌処置用医薬組成物。
【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
ステントグラフト送達機構において、
使用時、患者の中へ配備されるべき近位端と、使用時、患者の外部に留まるべき遠位端と、を備えている送達装置と、
前記送達装置の上にその前記近位端に向かって解放可能に保持されているステントグラフトであって、生体適合性グラフト材料の管状本体と、前記管状本体に沿った複数の自己展開式ステントとを備え、且つ近位端と遠位端を備えているステントグラフトと、
使用時、前記ステントグラフトのその前記近位端付近の一部分を湾曲させるために配設されている、前記ステントグラフト上の湾曲形成機構と、
前記送達装置に沿って伸びていて、前記ステントグラフト上の前記湾曲形成機構に解放可能に係合している牽引機構であって、前記牽引機構を引っ張ると、前記ステントグラフト上の前記湾曲形成機構が、前記ステントグラフトのその前記近位端付近の一部分を湾曲させ、前記牽引機構は、前記湾曲形成機構を前記ステントグラフト上の所定位置に残して解放され得る、牽引機構と、を備えており、
前記湾曲形成機構は、前記ステントグラフト又は前記ステントグラフトのステントに、前記ステントグラフトの前記近位端から離間している第１位置で係合され、少なくとも２つの方向に伸び、周方向に離間し且つ前記ステントグラフトの前記近位端に隣接する少なくとも２つの第２位置まで伸び、第３位置で前記牽引ワイヤに解放可能に係合されている縫合糸と、前記縫合糸のその引き込み後の再伸展を防止するため、前記第２位置と前記第３位置の間で前記縫合糸に係合している把持機構と、を備えている、ステントグラフト送達機構。
【請求項２】
前記把持機構は、前記第１位置から前記各第２位置までと前記各第２位置から前記第３位置までの前記縫合糸が、それぞれに、互いに撚り合わされて構成されている、請求項１に記載のステントグラフト送達機構。
【請求項３】
ステントグラフト送達機構において、
使用時、患者の中へ配備されるべき近位端と、使用時、患者の外部に留まるべき遠位端と、を備えている送達装置と、
前記送達装置の上にその前記近位端に向かって解放可能に保持されているステントグラフトであって、生体適合性グラフト材料の管状本体と、前記管状本体に沿った複数の自己展開式ステントとを備え、且つ近位端と遠位端を備えているステントグラフトと、
使用時、前記ステントグラフトのその前記近位端付近の一部分を湾曲させるために配設されている、前記ステントグラフト上の湾曲形成機構と、
前記送達装置に沿って伸びていて、前記ステントグラフト上の前記湾曲形成機構に解放可能に係合している牽引機構であって、前記牽引機構を引っ張ると、前記ステントグラフト上の前記湾曲形成機構が、前記ステントグラフトの一部分をその前記近位端に向かって湾曲させ、前記牽引機構は、前記湾曲形成機構を前記ステントグラフト上の所定位置に残して解放され得る、牽引機構と、を備えており、
前記ステントグラフト上の前記湾曲形成機構は、前記ステントグラフトに、前記ステントグラフトの前記近位端から離間している第１位置と、前記ステントグラフトの前記近位端に隣接する第２位置で係合されていて、第３位置で前記牽引機構に解放可能に係合されている縫合糸と、前記縫合糸のその引き込み後の再伸展を防止するため、前記第２位置と前記第３位置の間で前記縫合糸に係合している把持機構と、備えており、
前記把持機構は、前記第１位置から前記第２位置までと前記第２位置から前記第３位置までの前記縫合糸が互いに撚り合わされて構成されている、ステントグラフト送達機構。
【請求項４】
前記第２位置と前記第３位置の間の前記縫合糸は、前記把持機構を提供するべく、前記管状本体の中へ係合されている、請求項３に記載のステントグラフト送達機構。
【請求項５】
配設されている前記ステントグラフト上の前記湾曲形成機構は、前記ステントグラフト又は前記ステントグラフトのステントに、前記ステントグラフトの前記近位端から離間している第１位置で係合され、少なくとも２つの方向に、周方向に離間し且つステントグラフトの前記近位端に隣接する少なくとも２つの第２位置まで伸び、第３位置で牽引ワイヤに解放可能に係合されている縫合糸と、前記縫合糸のその引き込み後の再伸展を防止するため、前記第２位置と前記第３位置の間で前記縫合糸に係合している把持機構と、を備えている、請求項３に記載のステントグラフト送達機構。
【請求項６】
前記第２位置又は前記各第２位置と前記第３位置の間の前記縫合糸は、前記管状本体の中へ係合されている、請求項１乃至５のいずれかに記載のステントグラフト送達機構。
【請求項７】
前記湾曲形成機構の前記牽引機構への解放可能な係合は、解放可能な締結によって前記牽引ワイヤに接続されている前記湾曲形成機構の一部分と、前記送達装置の前記遠位端まで伸びている、前記解放可能な締結に係合している解放ワイヤと、を備え、それによって、前記解放ワイヤを引っ張ると、前記解放可能な締結が解かれ、その結果、前記湾曲形成機構の当該部分が前記牽引機構から解放される、請求項１乃至６のいずれかに記載のステントグラフト送達機構。
【請求項８】
前記牽引機構は、牽引ワイヤと、前記牽引ワイヤの近位端のビードと、前記ビードの遠位の締結機構と、前記締結機構に係合している解放ワイヤと、を備え、前記解放ワイヤは配備装置の遠位端まで伸び、前記湾曲形成機構が前記締結機構に係合しており、それによって、前記解放ワイヤを抜き取ると、前記締結機構が前記ビードの遠位の前記牽引ワイヤから解放され、その結果、前記湾曲形成機構が解放される、請求項７に記載のステントグラフト送達機構。
【請求項９】
生体適合性グラフト材料の管状本体と、前記管状本体に沿った複数の自己展開式ステントとを備え、且つ近位端と遠位端を備えているステントグラフトであって；使用時、前記ステントグラフトのその前記近位端付近の一部分を湾曲させるために前記ステントグラフト上の湾曲形成機構が配設されており、前記湾曲形成機構は、前記ステントグラフト又は前記ステントグラフトのステントに、前記ステントグラフトの前記近位端から離間している第１位置で係合され、少なくとも２つの方向に伸び、周方向に離間し且つ前記ステントグラフトの前記近位端に隣接する少なくとも２つの第２位置まで伸び、第３位置で牽引ワイヤに解放可能に係合されている縫合糸と、前記縫合糸のその引き込み後の再伸展を防止するため、前記第２位置と前記第３位置の間で前記縫合糸に係合している把持機構と、を備えていることを特徴とする、ステントグラフト。
【請求項１０】
前記第１位置から前記第２位置までと前記第２位置から前記第３位置までの前記縫合糸（６２）が撚り合わされている、請求項９に記載のステントグラフト。
【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
吸入器の投与位置へ連続的に可動の複数の薬剤収容封止キャビティを有する基部と、
一側を基部に付着させて個々の関連するキャビティ内の薬剤を封止し、他側を複数の仕切り要素に付着させた箔部分であって、各仕切り要素を個々のキャビティに関連付けてそのキャビティから切り離せるようにした箔部分と、
投与位置に目下位置するキャビティに関連付けられた仕切り要素上に衝撃を与えることにより、その仕切り要素をキャビティから仕切り要素が転移した転移位置へ移動させ、封止箔部分をキャビティから切り離し、それによってキャビティを開蓋し、その中に収容された薬剤を流体流中に飛沫同伴させられるよう適合させたアクチュエータと
を備える吸入器であって、
仕切り要素の転移位置において、付着箔部分がキャビティから飛沫同伴した薬剤のための流路を少なくとも一部画成する、吸入器。
【請求項２】
吸入器の投与位置へ連続的に可動の複数の薬剤収容封止キャビティを有する基部と、
一側を基部に付着させて個々の関連するキャビティ内の薬剤を封止し、他側を複数の仕切り要素に付着させた箔部分であって、各仕切り要素を個々のキャビティに関連付けてそのキャビティから切り離せるようにした箔部分と、
投与位置に目下位置するキャビティに関連付けられた仕切り要素上に衝撃を与え、それによってその仕切り要素をキャビティから仕切り要素が転移した転移位置へ移動させ、封止箔部分をキャビティから切り離し、それによってキャビティを開蓋し、その中に収容された薬剤を流体流中に飛沫同伴させられるよう適合させたアクチュエータと
を備える吸入器であって、
キャビティは、アクチュエータに対し割り送りされるよう適合させた、吸入器。
【請求項３】
仕切り要素の転移位置において、付着箔部分がキャビティから飛沫同伴した薬剤のための流路を少なくとも一部画成する、請求項２に記載の吸入器。
【請求項４】
仕切り要素は、付着箔部分を有する仕切り要素をその関連キャビティを覆うよう復動させる復帰位置を備える、請求項１から３のいずれか１項に記載の吸入器。
【請求項５】
隣接する各対の仕切り要素間に隔壁が配設してあり、基部から上方へ垂直に延在している、請求項１から４のいずれか１項に記載の吸入器。
【請求項６】
各仕切り要素と個々の関連する箔部分との間の付着力は基部と箔部分との間の付着力を上回り、それによって仕切り要素のその関連するキャビティからの転移動作が関連する箔部分を基部から切り離す、請求項１から５のいずれか１項に記載の吸入器。
【請求項７】
仕切り要素とその関連する箔部分との間の接触面積はその箔部分と基部との間の接触面積を上回る、請求項６に記載の吸入器。
【請求項８】
各箔部分は基部を付着させる第１の皮膜層と、仕切り要素を付着させる第２の皮膜層とを備え、第２の皮膜層の引っ張り強度が第１の皮膜層の引っ張り強度を上回る、請求項６または７に記載の吸入器。
【請求項９】
各仕切り要素の剛性は関連する箔部分の剛性を実質的に上回り、仕切り要素により箔部分は剛体運動を行うことができる、請求項６から８のいずれか１項に記載の吸入器。
【請求項１０】
前記基部は円盤として形成してあり、キャビティは盤周りに円形に配置して連続的に配設してある、請求項１から９のいずれか１項に記載の吸入器。
【請求項１１】
吸入器の投与位置へ連続的に移動させることのできる複数の薬剤収容キャビティを有する基部を備える吸入器における方法で、吸入器が、一側を基部に付着させて個々の関連するキャビティ内の薬剤を封止し、他側を複数の仕切り要素に付着させた箔部分を備え、各仕切り要素が個々のキャビティに関連付けられて箔部分をそのキャビティから切り離す方法であって、
仕切り要素をその関連するキャビティから転移させ、封止箔部分をキャビティから切り離し、キャビティを開蓋するステップと、
前記開蓋したキャビティが前記投与位置にあるときに、開蓋したキャビティから流体流中に薬剤を飛沫同伴させるステップと、
転移させた仕切り要素を復帰させ、その関連するキャビティを被覆するステップと、
基部を割り送りし、次のキャビティを前記投与位置へ移動させるステップと
を含む、方法。
【請求項１２】
前記転移動作は、仕切り要素をキャビティから押しのける力の印加を含む、請求項１１に記載の方法。
【請求項１３】
仕切り要素の前記転移後に、仕切り要素を整列配置し、キャビティ開口に対向する仕切り要素の一側がキャビティ開口に対し所定角度に配置されるようにするステップを含む、請求項１１または１２に記載の方法。
【請求項１４】
仕切り要素の前記転移後に、仕切り要素を整列配置し、キャビティ開口に対向する仕切り要素の一側がキャビティ開口に平行に配置されるようにするステップを含む、請求項１１から１３のいずれか１項に記載の方法。
【請求項１５】
請求項１に記載の吸入器を用いて薬剤粉末を患者に投与する方法。
【手続補正書】
【提出日】平成24年1月27日(2012.1.27)
【手続補正１】
【補正対象書類名】特許請求の範囲
【補正対象項目名】全文
【補正方法】変更
【補正の内容】
【特許請求の範囲】
【請求項１】
内部流路を有する医療機器であって、
前方取付け具に流体が流通可能に挿入され、前方取付け具に取外し可能に接続可能な前方に突出した流体出口部材と、
径方向に間隔を存して外向きに傾斜して突出する複数のフィンガーを有し、流体出口部材を越えるように前方に突出して、前方取付け具に取外し可能に接続される前に、接触による病原汚染から流体出口部材を保護する保護ガードと、を具え、前記保護ガードは永久的に取り付けられている医療機器。
【請求項２】
機器は、本体と該本体に挿入可能なプランジャを具えたシリンジである、請求項１に記載の医療機器。
【請求項３】
シリンジは予め充填されている、請求項２に記載の医療機器。
【請求項４】
前方取付け具は、封止キャップ、安全キャップ、皮下針アセンブリ、CLAVE(商標)コネクタ、ルアコネクタ又は他の血管アクセスコネクタ、薬瓶アクセス装置及びルア駆動されるカテーテルハブからなるグループから選択される、請求項１に記載の医療機器。
【請求項５】
皮下針アセンブリは更に、少なくとも１つの一体化された針安全要素を具える、請求項４に記載の医療機器。
【請求項６】
安全要素は、スライド可能なシース、回転可能なカバー及び汚染された先端部への露出から医療従事者を保護するように設計された他の装置からなるグループから選択される、請求項５に記載の医療機器。
【請求項７】
前方に突出した流体出口部材は、軸方向の開口を有するノーズを具える、請求項１に記載の医療機器。
【請求項８】
前方に突出した流体出口部材は、ルア接続表面である、請求項１に記載の医療機器。
【請求項９】
保護ガードは、流体出口部材の周囲を囲む、請求項１に記載の医療機器。
【請求項１０】
更に、流体出口部材に固定されて配備された取付け構造を具える、請求項１に記載の医療機器。
【請求項１１】
取付け構造の少なくとも一部は、内部にネジが形成された、請求項１０に記載の医療機器。
【請求項１２】
保護ガードは、本体の一部として一体に作られた、請求項２に記載の医療機器。
【請求項１３】
保護ガードは、略円筒状のカラーを具える、請求項１に記載の医療機器。
【請求項１４】
保護ガードは、略円筒状のカラーとカラーから前方に突出する環状に離れて位置する複数のガード要素を具える、請求項１３に記載の医療機器。
【請求項１５】
保護ガードは、流体が漏れないように係合した前方取付け具を受け入れるように構成された取付け構造を具える、請求項１に記載の医療機器。
【請求項１６】
封止キャップと結合する、請求項１に記載の医療機器。
【請求項１７】
保護ガードは、シリンジ本体に固定されて接続される第１の部分と、第１の部分とスライド可能に係合して、前方に突出した流体出口部材が前方に延びるような位置に付勢される第２の部分を具える、請求項２に記載の医療機器。
【請求項１８】
第２の部分は、第１の部分の周りに配備された圧縮バネによって付勢される、請求項１７に記載の医療機器。
【請求項１９】
保護ガードは、前方取付け具の不用意な分離又は外れに対して更なる安全性を付与する、請求項１に記載の医療機器。
【請求項２０】
保護ガードは、機器と前方取付け具間の摩擦係合を増加させる、請求項１９に記載の医療機器。
【請求項２１】
保護ガードは、前方取付け具の１又は２以上の要素にユーザが不用意に接することに対する更なるバリアを付与する、請求項１９に記載の医療機器。
【請求項２２】
内部流路を有する医療機器であって、
ルア接続表面と、
ルア接続表面に固定されて配備される取付け構造と、
径方向に間隔を存して外向きに傾斜して突出する複数のフィンガーを有し、ルア接続表面を越えて前方に突出し、ルア接続表面を接触による病原汚染から保護する保護ガードと、を具え、前記保護ガードは永久的に取り付けられている医療機器。
【請求項２３】
機器は、本体と該本体に挿入可能なプランジャを具えたシリンジである、請求項２２に記載の医療機器。
【請求項２４】
シリンジは予め充填されている、請求項２２に記載の医療機器。
【請求項２５】
前方取付け具は、封止キャップ、安全キャップ、皮下針アセンブリ、CLAVE(商標)コネクタ、ルアコネクタ又は他の血管アクセスコネクタ、薬瓶アクセス装置及びルア駆動されるカテーテルハブからなるグループから選択される、請求項２２に記載の医療機器。
【請求項２６】
皮下針アセンブリは更に、少なくとも１つの一体化された針安全要素を具える、請求項２５に記載の医療機器。
【請求項２７】
安全要素は、スライド可能なシース、回転可能なカバー及び汚染された先端部への露出から医療従事者を保護するように設計された他の装置からなるグループから選択される、請求項２６に記載の医療機器。
【請求項２８】
前方に突出した流体出口部材は、軸方向の開口を有するノーズを具える、請求項２２に記載の医療機器。
【請求項２９】
保護ガードは、ルア接続表面の周囲を囲む、請求項２２に記載の医療機器。
【請求項３０】
取付け構造の少なくとも一部は、内部にネジが形成された、請求項２２に記載の医療機器。
【請求項３１】
機器は、本体を具え、保護ガードは本体の一部として一体に造られた、請求項２３に記載の医療機器。
【請求項３２】
保護ガードは、略円筒状のカラーを具える、請求項２２に記載の医療機器。
【請求項３３】
保護ガードは、略円筒状のカラーとカラーから前方に突出する環状に離れて位置する複数のガード要素を具える、請求項３２に記載の医療機器。
【請求項３４】
保護ガードは、取付け構造を具える、請求項２２に記載の医療機器。
【請求項３５】
取付け構造は、流体が漏れないように係合した前方取付け具を受け入れるように構成された、請求項２２に記載の医療機器。
【請求項３６】
封止キャップと結合する、請求項２２に記載の医療機器。
【請求項３７】
保護ガードは、シリンジ本体に固定されて接続される第１の部分と、第１の部分とスライド可能に係合して、前方に突出した流体出口部材が前方に延びるような位置に付勢される第２の部分を具える、請求項２２に記載の医療機器。
【請求項３８】
第２の部分は、第１の部分の周りに配備された圧縮バネによって付勢される、請求項３７に記載の医療機器。
【請求項３９】
保護ガードは、前方取付け具の不用意な分離又は外れに対して更なる安全性を付与する、請求項２２に記載の医療機器。
【請求項４０】
保護ガードは、機器と前方取付け具間の摩擦係合を増加させる、請求項３９に記載の医療機器。
【請求項４１】
保護ガードは、前方取付け具の１又は２以上の要素にユーザが不用意に接することに対する更なるバリアを付与する、請求項３９に記載の医療機器。
【手続補正書】
【提出日】平成24年1月26日(2012.1.26)
【手続補正１】
【補正対象書類名】特許請求の範囲
【補正対象項目名】全文
【補正方法】変更
【補正の内容】
【特許請求の範囲】
【請求項１】
テーパーフィラメントの製造方法であって、次の工程：
ａ）フィラメントを供給する工程；
ｂ）タンクに処理溶液を供給する工程であって、前記処理溶液はＮａＯＨ溶液、ＫＯＨ溶液、ＬｉＯＨ溶液、これらの塩基性溶液の組み合わせ、硫酸、塩酸、リン酸溶液、またはこれらの酸性溶液の組み合わせを含む工程；
ｃ）処理溶液に工程ａ）のフィラメントを浸漬する工程、
ｄ）処理中の処理溶液の濃度を一定に保つため、補助手段を使用する工程
を含み、
工程ｃ）において、処理溶液に浸漬されるフィラメントの深さを経時的に変化させる方法。
【請求項２】
請求項１に記載の方法により得られるテーパーフィラメントであって、テーパーフィラメント束の中心からフィラメント束の外周端に至るまで、均一なテーパー長とテーパー比を有するフィラメント。
【手続補正２】
【補正対象書類名】明細書
【補正対象項目名】００７１
【補正方法】変更
【補正の内容】
【００７１】
図５および６から、本発明によらずに得られたテーパーフィラメントは、束の中心のフィラメントと束の周辺部のフィラメントの間で異なるテーパー端を有しており、それにより品質適合率が低下していることがわかる。
次に、本発明の態様を示す。
１.  テーパーフィラメントの製造方法であって、次の工程：
ａ）フィラメントを供給する工程；
ｂ）タンクに処理溶液を供給する工程であって、前記処理溶液はＮａＯＨ溶液、ＫＯＨ溶液、ＬｉＯＨ溶液、これらの塩基性溶液の組み合わせ、硫酸、塩酸、リン酸溶液、またはこれらの酸性溶液の組み合わせを含む工程；
ｃ）処理溶液に工程ａ）のフィラメントを浸漬する工程、
ｄ）処理中の処理溶液の濃度を一定に保つため、補助手段を使用する工程
を含み、
工程ｃ）において、処理溶液に浸漬されるフィラメントの深さを経時的に変化させる方法。
２.  フィラメントは、バイオ由来のポリエステル、またはバイオ由来のポリエステルを含むブレンド物を含む上記１に記載の方法。
３.  工程ｃ）において、処理溶液に浸漬されたフィラメントの初期深さは２〜２０ｍｍであり、処理溶液に浸漬されたフィラメントの最終深さは０〜１０ｍｍであり、かつ全処理時間は５〜６０分である上記１または２に記載の方法。
４.  工程ｃ）において、処理溶液に浸漬されたフィラメントの初期深さは０〜１０ｍｍであり、処理溶液に浸漬されたフィラメントの最終深さは２〜２０ｍｍであり、かつ全処理時間は５〜６０分である上記１または２に記載の方法。
５.  フィラメントは、長さが１６〜６５ｍｍである上記１に記載の方法。
６.  工程ｃ）は、６０℃〜１４０℃の温度で実施される上記１に記載の方法。
７.  補助手段は、処理溶液の機械的な撹拌、循環、または前記処理溶液に対し適用される超音波エネルギーを含む上記１に記載の方法。
８.  上記１または２に記載の方法により得られるテーパーフィラメントであって、テーパーフィラメント束の中心からフィラメント束の外周端に至るまで、均一なテーパー長とテーパー比を有するフィラメント。
９.  フィラメントは、歯ブラシ、ペンキ用刷毛、化粧用ブラシ、筆および絵筆に用いられる上記８に記載のフィラメント。
【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
薬剤を収容した少なくとも１個の封止キャビティを有する基部と、
２面を有し、一側が基部に付着し、キャビティ内の薬剤を封止する箔部分と、
箔部分の他側に付着させられ、箔部分をキャビティから切り離す仕切り要素で、第１の端部と反対側の第２の端部とを有する仕切り要素と
を備える吸入器であって、
仕切り要素を中間の傾斜位置から前記第１の端部がキャビティから転移する転移位置へ可動とし、
仕切り要素をさらに中間傾斜位置から転移位置まで可動とし、転移位置において前記第２の端部もまたキャビティから転移させ、箔部分をキャビティから取り除き、それによってキャビティを開蓋し、その中に収容された薬剤が流体流中に飛沫同伴するようにした、吸入器。
【請求項２】
仕切り要素の前記第１の端部はキャビティの上流に位置し、仕切り要素の前記第２の端部はキャビティの下流に位置する、請求項１に記載の吸入器。
【請求項３】
薬剤を収容した少なくとも１個の封止キャビティを有する基部と、
２面を有し、一側が基部に付着し、キャビティ内の薬剤を封止する箔部分と、
箔部分の他側に付着させられ、箔部分をキャビティから切り離す仕切り要素と、
仕切り要素を動かすアクチュエータと
を備える吸入器であって、
アクチュエータを、当接する第１点において仕切り要素に衝撃を与え、それによって仕切り要素を中間傾斜位置へ動かすよう適合させ、
アクチュエータを、当接する第２点で仕切り要素に衝撃を与え、それによって仕切り要素を中間傾斜位置から転移位置へ動かし、転移位置において仕切り要素をキャビティから転移させ、箔部分をキャビティから取り除き、それによってキャビティを開蓋し、その中に収容された薬剤が流体流中に飛沫同伴できるようさらに適合させた、吸入器。
【請求項４】
アクチュエータが仕切り要素を基部から転移位置へ転移させると、アクチュエータは仕切り要素上を摺動移動し、摺動運動は湾曲路を描く、請求項３に記載の吸入器。
【請求項５】
仕切り要素の転移位置において、付着箔部分がキャビティから飛沫同伴した薬剤のための流路を少なくとも一部画成する、請求項１から４のいずれか１項に記載の吸入器。
【請求項６】
仕切り要素は、付着箔部分を有する仕切り要素が復動してその関連キャビティを覆う復帰位置を備える、請求項１から５のいずれか１項に記載の吸入器。
【請求項７】
基部は薬剤を収容した複数の連続する封止キャビティを有しており、各キャビティは個々の関連する箔部分によって封止されており、各箔部分がその他側を個々のキャビティに関連する仕切り要素に付着させてあり、箔部分をそのキャビティから切り離す、請求項１から６のいずれか１項に記載の吸入器。
【請求項８】
請求項３または４に従属し、キャビティをアクチュエータに対し割り送りされるよう適合させた、請求項７に記載の吸入器。
【請求項９】
前記基部は円盤として形成してあり、キャビティを盤周りに連続的に円形に配置した、請求項７または８に記載の吸入器。
【請求項１０】
隣接する仕切り要素の各対の間に隔壁が配設してあり、基部から上方へ垂直に延在している、請求項７から９のいずれか１項に記載の吸入器。
【請求項１１】
前記または各仕切り要素と個々の関連する箔部分との間の付着力は基部と箔部分との間の付着力を上回り、それによって仕切り要素のその関連するキャビティからの転移動作が関連する箔部分を基部から切り離す、請求項１から１０のいずれか１項に記載の吸入器。
【請求項１２】
仕切り要素とその関連する箔部分との間の接触面積は、その箔部分と基部との間の接触面積を上回る、請求項１１に記載の吸入器。
【請求項１３】
前記または各箔部分は、基部を付着させる第１の皮膜層と、仕切り要素を付着させる第２の皮膜層とを備え、第２の皮膜層の引っ張り強度が第１の皮膜層の引っ張り強度を上回る、請求項１１または１２に記載の吸入器。
【請求項１４】
前記または各仕切り要素の剛性は関連する箔部分の剛性を実質的に上回り、仕切り要素により箔部分は剛体運動を行うことができる、請求項１１から１３のいずれか１項に記載の吸入器。
【請求項１５】
請求項１に記載の吸入器を用いて薬剤粉末を患者に投与する方法。